(57)【要約】【課題】様々な用途又は必要に応じて様々な角度又は高さに調整し得る角度調整可能な分離机を提供する。【解決手段】角度調整可能な分離机は、机上面１０、支持フレーム２０、調整装置３０及び脚フレームを備える。机上面１０は、側端に位置決め部材が設けられ、背面にＯリング１２が設けられる。支持フレーム２０は、複数のフレームが組み合わされて成形されるとともに、支持部２１及び当接部２２を有する。当接部２２は、結合部材２３を介して机上面１０の背面の一側に螺設され、当接部２２のフレームにはスライド溝２４が形成され、スライド溝２４内には、複数の位置決めユニット２４１が設けられる。調整装置３０は、摺動部材３１、リング状フック３２及び牽引部材３３から構成されてなる。摺動部材３１の支持端３１０が机上面１０の背面に螺設され、スライド部材の当接端３１１がスライド溝２４内に収容されてスライド溝２４内で変位する。【選択図】図２
0003211107.tif 000002
【実用新案登録請求の範囲】
【請求項１】
机上面、支持フレーム、調整装置及び脚フレームを備えた角度調整可能な分離机であって、
前記机上面は、側端に位置決め部材が設けられ、背面にＯリングが設けられ、
前記支持フレームは、複数のフレームが組み合わされて成形されるとともに、支持部及び当接部を有し、前記当接部は、結合部材を介して前記机上面の背面の一側に螺設され、前記当接部の前記フレームにはスライド溝が形成され、前記スライド溝内には、複数の位置決めユニットが設けられ、
前記調整装置は、摺動部材、リング状フック及び牽引部材から構成されてなり、前記摺動部材の支持端が前記机上面の背面に螺設され、スライド部材の当接端が前記スライド溝内に収容されて前記スライド溝内で変位し、前記リング状フックは、一端のフック耳が前記当接端に引っ掛けられ、他端が前記牽引部材に結合され、前記牽引部材が前記Ｏリングに挿通されて位置決めリングに結合され、前記机上面の背面から前記牽引部材が外れることを防ぎ、
前記脚フレームが前記支持部に結合されると、全体の高さが大きくなり、結合関係により前記机上面の地面からの垂直高さが調整し得ることを特徴とする角度調整可能な分離机。
【請求項２】
前記結合部材は、Ｕ字状を呈するとともに、両端に係止爪を有することを特徴とする請求項１に記載の角度調整可能な分離机。
【請求項３】
前記位置決めユニットはフック溝であることを特徴とする請求項１に記載の角度調整可能な分離机。
【請求項４】
前記支持フレームの前記支持部と前記脚フレームとは、ねじ部とナットとの組み合わせからなり、前記支持部は前記脚フレーム内に螺入されることを特徴とする請求項１に記載の角度調整可能な分離机。
【請求項５】
前記脚フレームは、組立部材を介して前記支持部と結合されることを特徴とする請求項１に記載の角度調整可能な分離机。
【請求項６】
前記組立部材は、収納溝を有する前記位置決め部材を含み、前記収納溝の側端には摘みが配設され、前記摘みは位置決めピンを介して前記位置決め部材に結合されることを特徴とする請求項５に記載の角度調整可能な分離机。
【請求項７】
前記支持部には、開口部が形成され、
前記支持部内には、ばねが配設され、
前記ばねは、位置決めバンプを有し、
前記位置決めバンプは、前記開口部に挿通されて外側に達し、
前記脚フレームには、複数の位置決め孔が形成され、前記位置決めバンプを押圧すると、前記支持部が前記脚フレーム内に嵌入され、適宜な位置に調整されて前記開口部は前記位置決め孔に対応し、前記ばねの弾性により前記位置決めバンプが前記開口部と前記位置決め孔とに位置決めされ、高さを自在に調整し得ることを特徴とする請求項１に記載の角度調整可能な分離机。
【請求項８】
前記脚フレームの下端は、キャスタに結合されることを特徴とする請求項１に記載の角度調整可能な分離机。
【請求項９】
前記当接部は、組立部材を介して前記支持部に結合されることを特徴とする請求項１に記載の角度調整可能な分離机。
【考案の詳細な説明】
【技術分野】
【０００１】
本考案は、角度調整可能な分離机にするものであり、さらに詳しくは、様々な用途又は必要に応じて様々な角度又は高さに調整し得る角度調整可能な分離机に関するものである。
【背景技術】
【０００２】
従来の机の大部分は、机上面を有するとともに、机上面の四隅から延びた脚が接地されて支えられる構造を有するものである。机上面は、物品を載置するという単純な用途だけでなく新聞や雑誌などを読んだり、勉強したり、ノート型パソコンを使用したりするために使用される。しかしながら、机の角度が固定されているため、ノート型パソコンを使用する際、ノート型パソコンの画面を見やすくしたり光源が直接目に反射したりすることを防ぐために、画面の角度を頻繁に調整する必要があった。しかし、画面の角度調整を長期間行うと、ノート型パソコンの角度を調整する部品が疲労して緩んだり、最悪の場合、損壊したりしてしまう虞があった。また、使用者が和室やベッド上など床からの高さが低い場所で机を使用する場合でも、机を分離させることができず、事務所など適宜な高さでしか使用できず、全ての使用者の要求を満たすことはできなかった。
【考案の概要】
【考案が解決しようとする課題】
【０００３】
従って、本考案の主な課題は、コンピューターを使用したり、新聞・雑誌を見たり、勉強したり、文章を書いたり、携帯電話で遊んだりするなど様々な用途に応じて傾斜角度を調整し得る上、使用者自ら机上面の床からの高さを調整することができるため、和室やベッド上など床からの高さが低い場所でも使用することができる角度調整可能な分離机を提供することにある。
【課題を解決するための手段】
【０００４】
そこで、本考案者は、前記の本考案の課題を解決するための鋭意検討を重ねた結果、机上面に少なくとも調整装置を組み合わせることにより、この調整装置により後述のように前記課題を解決できることに着目し、本願考案に想到するに至った。
かくして、本考案の要旨は次の（１）〜（９）に示されるものである。
【０００５】
（１）机上面、支持フレーム、調整装置及び脚フレームを備えた角度調整可能な分離机であって、
前記机上面は、側端に位置決め部材が設けられ、背面にＯリングが設けられ、
前記支持フレームは、複数のフレームが組み合わされて成形されるとともに、支持部及び当接部を有し、前記当接部は、結合部材を介して前記机上面の背面の一側に螺設され、前記当接部の前記フレームにはスライド溝が形成され、前記スライド溝内には、複数の位置決めユニットが設けられ、
前記調整装置は、摺動部材、リング状フック及び牽引部材から構成されてなり、前記摺動部材の支持端が前記机上面の背面に螺設され、スライド部材の当接端が前記スライド溝内に収容されて前記スライド溝内で変位し、前記リング状フックは、一端のフック耳が前記当接端に引っ掛けられ、他端が前記牽引部材に結合され、前記牽引部材が前記Ｏリングに挿通されて位置決めリングに結合され、前記机上面の背面から前記牽引部材が外れることを防ぎ、
前記脚フレームが前記支持部に結合されると、全体の高さが大きくなり、結合関係により前記机上面の地面からの垂直高さが調整し得ることを特徴とする角度調整可能な分離机。
【０００６】
（２）前記結合部材は、Ｕ字状を呈するとともに、両端に係止爪を有することを特徴とする前記（１）に記載の角度調整可能な分離机。
【０００７】
（３）前記位置決めユニットはフック溝であることを特徴とする前記（１）に記載の角度調整可能な分離机。
【０００８】
（４）前記支持フレームの前記支持部と前記脚フレームとは、ねじ部とナットとの組み合わせからなり、前記支持部は前記脚フレーム内に螺入されることを特徴とする前記（１）に記載の角度調整可能な分離机。
【０００９】
（５）前記脚フレームは、組立部材を介して前記支持部と結合されることを特徴とする前記（１）に記載の角度調整可能な分離机。
【００１０】
（６）前記組立部材は、収納溝を有する前記位置決め部材を含み、前記収納溝の側端には摘みが配設され、前記摘みは位置決めピンを介して前記位置決め部材に結合されることを特徴とする前記（５）に記載の角度調整可能な分離机。
【００１１】
（７）前記支持部には、開口部が形成され、
前記支持部内には、ばねが配設され、
前記ばねは、位置決めバンプを有し、
前記位置決めバンプは、前記開口部に挿通されて外側に達し、
前記脚フレームには、複数の位置決め孔が形成され、前記位置決めバンプを押圧すると、前記支持部が前記脚フレーム内に嵌入され、適宜な位置に調整されて前記開口部は前記位置決め孔に対応し、前記ばねの弾性により前記位置決めバンプが前記開口部と前記位置決め孔とに位置決めされ、高さを自在に調整し得ることを特徴とする前記（１）に記載の角度調整可能な分離机。
【００１２】
（８）前記脚フレームの下端は、キャスタに結合されることを特徴とする前記（１）に記載の角度調整可能な分離机。
【００１３】
（９）前記当接部は、組立部材を介して前記支持部に結合されることを特徴とする前記（１）に記載の角度調整可能な分離机。
【考案の効果】
【００１４】
本考案の角度調整可能な分離机は、机上面に組み合わされた調整装置により使用者自ら机上面と当接部との間の角度を適宜調整し、脚フレームを介して支持フレームの支持部に組み合わせたり支持部から分離したりすることにより、机上面の地面からの高さを調整することができ、単一角度又は単一高さでの使用のみに限定されないという効果を奏する。
【図面の簡単な説明】
【００１５】
【図１】図１は、本考案の一実施形態に係る角度調整可能な分離机を示す斜視図である。
【図２】図２は、本考案の一実施形態に係る角度調整可能な分離机を示す分解斜視図である。
【図３】図３は、本考案の一実施形態に係る角度調整可能な分離机に脚フレームを組み合わせるときの状態を示す分解斜視図である。
【図４】図４は、本考案の他の実施形態に係る角度調整可能な分離机に脚フレームを組み合わせるときの状態を示す分解斜視図である。
【図５】図５は、本考案の一実施形態に係る角度調整可能な分離机を示す側面図である。
【図６】図６は、本考案の一実施形態に係る角度調整可能な分離机を示す底面図である。
【図７】図７は、本考案の一実施形態に係る角度調整可能な分離机の机上面と当接部との間の角度を示す説明図である。
【図８】図８は、本考案の一実施形態に係る角度調整可能な分離机の当接端を位置決めユニットに押し付けて固定する状態を示す説明図である。
【図９】図９は、本考案の一実施形態に係る角度調整可能な分離机を実際に使用する状態の説明図である。
【図１０】図１０は、本考案の一実施形態に係る角度調整可能な分離机に脚フレームを組み合わせるときの状態を示す斜視図である。
【図１１】図１１は、本考案の他の実施形態に係る角度調整可能な分離机に脚フレームを組み合わせるときの状態を示す分解斜視図である。
【考案を実施するための形態】
【００１６】
まず、図１及び図２を参照する。図１及び図２に示すように、本考案の一実施形態に係る角度調整可能な分離机は、少なくとも机上面１０、支持フレーム２０、調整装置３０及び脚フレーム４０から構成されてなる。机上面１０は、側端に位置決め部材１１が設けられ、背面にＯリング１２が設けられる。支持フレーム２０は、複数のフレームが組み合わされて成形されるとともに、支持部２１及び当接部２２を有する。当接部２２は、結合部材２３を介して机上面１０の背面の一側に螺設され、当接部２２のフレームにはスライド溝２４が形成されている。スライド溝２４内には、複数の位置決めユニット２４１が設けられている。調整装置３０は、摺動部材３１、リング状フック３２及び牽引部材３３から構成されてなる。摺動部材３１は、支持端３１０及び当接端３１１を有する。リング状フック３２の一端には、フック耳３２０が形成される。脚フレーム４０を支持部２１と結合したり支持部２１から分離したりすると、全体の高さを変化させることができる。このように結合したり分離したりすると、机上面１０の地面からの垂直高さを調整することができる。
【００１７】
続けて図１及び図２を参照する。図１及び図２に示すように、結合部材２３を介して当接部２２のフレームを机上面１０及び位置決め部材１１の同じ側に螺設してから、摺動部材３１の支持端３１０を机上面１０の背面に螺設し、当接端３１１がスライド溝２４内に収容されてスライド溝２４内で変位して位置決めユニット２４１に押し付けられて固定され、位置決めする。リング状フック３２は、一端のフック耳３２０を当接端３１１に引っ掛け、他端が牽引部材３３に結合される。牽引部材３３をＯリング１２に挿通してから位置決めリング３３０に結合し、牽引部材３３がＯリング１２から外れることを防ぎ（図５を併せて参照する。）、脚フレーム４０を支持部２１に結合すると、全体の高さが大きくなり、結合関係により着脱自在に組立てることができ、机上面１０の地面からの垂直高さを調整し、角度調整可能な分離机が形成される。
【００１８】
本考案の実施形態の角度調整可能な分離机の結合部材２３は、Ｕ字状を呈するとともに、両端が延びて設けられた係止爪２３１を有する（図２を併せて参照する。）。
【００１９】
本考案の一実施形態に係る角度調整可能な分離机の位置決めユニット２４１はフック溝である。
【００２０】
本考案の一実施形態に係る角度調整可能な分離机の支持フレーム２０の支持部２１と脚フレーム４０とは、ねじ部とナットとの組み合わせからなり、支持部２１は脚フレーム４０内に螺入される。
【００２１】
本考案の一実施形態に係る角度調整可能な分離机の脚フレーム４０は、組立部材５０を介して支持部２１と結合される。組立部材５０は、収納溝５１０を有する位置決め部材５１を含み、収納溝５１０の側端には摘み５２が配設され、摘み５２は位置決めピン５３を介して位置決め部材５１に結合される（図３を併せて参照する。）。
【００２２】
本考案の一実施形態に係る角度調整可能な分離机の支持部２１には、開口部２１１が形成されている。支持部２１内には、ばね２１２が配設される。ばね２１２は、位置決めバンプ２１２０を有する。位置決めバンプ２１２０は、開口部２１１に挿通されて外側に達する。脚フレーム４０には、複数の位置決め穴４０１が形成され、位置決めバンプ２１２０を押圧すると、支持部２１が脚フレーム４０内に嵌入され、適宜な位置に調整されて開口部２１１が位置決め穴４０１に対応し、ばね２１２の弾性により位置決めバンプ２１２０が開口部２１１と位置決め孔４０１とに位置決めされ、高さを自在に調整し得る（図４を併せて参照する。）。
【００２３】
本考案の一実施形態に係る角度調整可能な分離机の脚フレーム４０の下端は、キャスタ４１に結合される（図１を併せて参照する。）。
【００２４】
本考案の一実施形態に係る角度調整可能な分離机の当接部２２は、組立部材５０を介して支持部２１に結合される（図１１を併せて参照する。）。当接部２２は、支持部２１と結合され、この結合関係により机上面１０両側の幅を調整して全体の幅を変化させることができる。
【００２５】
実際に使用する方式は、図５〜図１０に示すように、机上面１０が平坦でない状態で使用者が使用する場合、机上面１０の位置決め部材１１と異なる一側を握って引っ張り上げ、机上面１０を傾けて位置決めリング３３０の高さになるまで引っ張り、机上面１０を引っ張り上げながら位置決めリング３３０を引っ張ると、牽引部材３３を介してリング状フック３２が摺動部材３１の当接端３１１を駆動し、摺動部材３１の当接端３１１がスライド溝２４内で摺動するとともに、位置決めユニット２４１を押し付けて固定し、位置決めする（図７及び図８を併せて参照する。）。使用者は、ノート型パソコン６０が適切に見られる角度に机上面１０を調整すると、ノート型パソコン６０を机上面１０に載置することができるとともに、位置決め部材１１によりノート型パソコン６０が滑り落ちることを防ぐこともできる（図９を併せて参照する。）。机上面１０の位置決め部材１１と異なる一側を持ち上げて位置決めリング３３０を引っ張ると、牽引部材３３が真っ直ぐに支えられてリング状フック３２とともに摺動部材３１の当接端３１１が上方へ駆動され、当接端３１１が位置決めユニット２４１から離れて角度を再調整したり、机上面１０を当接部２２上に平らに載置したりすることができる。使用者が一般の場所でノート型パソコン６０を使用する際、脚フレーム４０を介して支持部２１が結合され、高さを調整して使用し易いようにすることができる。使用者がベッド上や床上など低めの場所で使用する場合、脚フレーム４０を結合しなくても使用し易い高さにすることができる（図１０を併せて参照する）。
【００２６】
本考案の角度調整可能な分離机は、以下（１）及び（２）の長所を有する。
（１）机上面１０に組み合わされた調整装置３０により、使用者自ら机上面１０と当接部２２との間の角度を適宜調整することができるため、光源、使用者の体の大きさ又は使用する場所による制限を受けることがない。
（２）脚フレーム４０を支持フレーム２０の支持部２１と組み合わせ、地面から離れた高い場所でも椅子と組み合わせて使用することができ、支持部２１上から脚フレーム４０を分離することもできるため、高さが低めのベッド上や床上でも使用でき、利便性に優れる。
【符号の説明】
【００２７】
１０  机上面
１１  位置決め部材
１２  Ｏリング
２０  支持フレーム
２１  支持部
２２  当接部
２３  結合部材
２４  スライド溝
３０  調整装置
３１  摺動部材
３２  リング状フック
３３  牽引部材
４０  脚フレーム
４１  キャスタ
５０  組立部材
５１  位置決め部材
５２  摘み
５３  位置決めピン
６０  ノート型パソコン
２１１  開口部
２１２  ばね
２３１  係止爪
２４１  位置決めユニット
３１０  支持端
３１１  当接端
３２０  フック耳
３３０  位置決めリング
４０１  位置決め孔
５１０  収納溝
２１２０  位置決めバンプ
【図１】
0003211107.tif 000003
【図２】
0003211107.tif 000004
【図３】
0003211107.tif 000005
【図４】
0003211107.tif 000006
【図５】
0003211107.tif 000007
【図６】
0003211107.tif 000008
【図７】
0003211107.tif 000009
【図８】
0003211107.tif 000010
【図９】
0003211107.tif 000011
【図１０】
0003211107.tif 000012
【図１１】
0003211107.tif 000013